(57)【特許請求の範囲】
【請求項１】
過去及び現在における日本の歌を分類するためのテーマを定め、テーマ別に分類した歌詞を夫々のテーマに分けて記載し、該テーマ別に分類した歌詞を時代順に編集した、テーマ編歌本であって、該テーマ編歌本に設けられた目次に前記テーマを掲載し、夫々の該テーマに対応する頁数を記載し、夫々の該テーマ毎に歌の題名と夫々の題名に対応する頁数を記載した、ことを特徴とするテーマ編歌本。
【発明の詳細な説明】
【０００１】
【発明の属する技術分野】
本発明は、過去及び現在における数多くの日本の歌を特定のテーマで分類して編集したテーマ編歌本に関するものである。
【０００２】
【従来の技術】
過去及び現在において数多く存在する日本の歌を分類する方法としては、歌手の性別で分ける方法、歌手別に分ける方法、その歌が歌われた時代で分ける方法、唱歌、童謡、軍歌、歌謡曲、演歌、フォーク、ポップス、ロック等の歌のジャンルで分ける方法、歌の内容によって季節又は地名等で分ける方法等がある。
【０００３】
これらの分け方は、レコード、ＣＤ、テープ等の音楽の記録媒体を販売したり、宣伝したり、または歌を歌ったり、聞いたりする際に有益であり、歌本においてもそのような分け方によって編集された内容を有するものが一般的に流通している。
【０００４】
また、最近普及しているカラオケに使用する歌本は、歌う際に簡単かつ迅速に選曲を行うことができるように編集されたものであって、歌手の名前や歌の題名を五十音順に編集したり、それらを組み合わせるという趣旨で編集されている。
【０００５】
ところで、一般に、歌は、歌詞と曲との組み合わせによって直接的に情緒や感情までも表現することができ、歌う者が感情移入しやすい性質を有するため、時代毎の生活、習慣、風俗、歴史、感情、思想等をも表現し得るものである。
【０００６】
従って、歌ったり聴いたりするという娯楽面での有用性のみならず、歌は時代を反映するものであるという社会学的な観点から、現在収集し得る数多くの歌を分類整理することによって、歌に表現された時代毎の人間の世相や文化等を読み取ることができ、これを後世に伝えることが可能となる。
【０００７】
ところが従来、そのような観点から分類された歌本は存在せず、もっぱらカラオケ等のように歌ったり聴いたりする際の便宜のために分類したものしか存在しなかった。
【０００８】
【発明が解決しようとする課題】
本発明は、上記の事情に鑑みてなされたもので、過去及び現在における数多くの日本の歌を特定のテーマで分類した歌本を編集し、またテーマ別に時代毎に整理し、歌に表現された日本人の生活、習慣、風俗、歴史、感情、思想等を体系化することにより、歌ったり聞いたりする際に利便なものとするだけではなく、作詞等の創作活動、または時代毎の世相や文化を知る資料としても有益となるテーマ編歌本を提供することを目的とする。
【０００９】
【課題を解決するための手段】
上記の目的を達成するために、本発明による請求項１のテーマ編歌本は、過去及び現在における日本の歌を分類するためのテーマを定め、テーマ別に分類した歌詞を夫々のテーマに分けて記載し、該テーマ別に分類した歌詞を時代順に編集した、テーマ編歌本であって、該テーマ編歌本に設けられた目次に前記テーマを掲載し、夫々の該テーマに対応する頁数を記載し、夫々の該テーマ毎に歌の題名と夫々の題名に対応する頁数を記載した、ことを特徴とする。
【００１３】
【発明の実施の形態】
以下、本発明の実施例について図面を参照しながら説明する。
【００１４】
本発明によるテーマ編歌本は、過去及び現在における日本の歌全般を総括的にテーマ別分類の対象にしたものである。
【００１５】
ここで、本発明に云う「日本の歌」とは、過去及び現在において日本国内で歌われてきた歌を称するものである。
【００１６】
なお、例えば、古い唱歌のなかには日本国内に取り入れられた外国民謡を日本語に翻訳し、長く歌われることによって日本の歌として受け入れられてきたものもある。このような歌は、本発明の趣旨から判断して、本発明の「日本の歌」に含ませるのが妥当であると思われる。このような歌も、日本国内で歌われてきた歌であるからである。
【００１７】
また、本発明における「日本の歌」のなかには、ごく一部の日本人にしか知られていなかったり、発表の当初から一般的にはほとんど歌われていない歌もあり、さらにはそのような歌は収集が困難なこともあり、テーマ別分類の対象に含めるかどうかは、完成後の歌本の頁数との関係から割愛する場合があってよい。
【００１８】
ともかくも、本発明の目的は、現在入手し得る歌本或いは資料を対象として、それらの歌本或いは資料に納められた過去及び現在の歌詞全般を所定のテーマ別に分類することによって日本の歌を体系化するものである。
【００１９】
従って、本発明は、特定の歌手や特定のジャンルから選択された歌を単に季節や地名等で選別したりするものとは区別すべきである。
【００２０】
また、本発明において、分類のためのテーマは細かく区分するのが望ましいが、歌の内容になり難いテーマもあるため、収集した「日本の歌」の個々の内容から判断して、どのようなものが分類のテーマになり得るかを判断することによって決定すればよい。
【００２１】
上記の点を考慮して構成した本発明による歌本の目次を図１、図２に示し、歌詞を掲載した任意頁を図３、図４に示してある。
【００２２】
本実施例における歌本の目次は、図１に示すように、例えば、「自然」、「生き物」、「場所」等のような大テーマ１に分けて、夫々に含まれる具体的なテーマ２を「太陽」、「月」、「星」、「空」…というように分類して記載してあり、分類の対象にしたテーマが一覧できるという利点を有する。
【００２３】
また、上記のように具体的なテーマ２毎に該当するページ数４を記載することにより、歌本に掲載された歌詞を見るときの利便性を図ったり、夫々のテーマ毎に掲載された歌詞が何曲あるのか、掲載されたテーマ毎の曲数３を記載したり、また通常の本のように所定箇所にページ数（図１においては、最下部の「１Ｐ」と記してあるもの）を記載したりすることも可能である。
【００２４】
なお、このような目次の作成方法において、上記のように大テーマを設けることなく、具体的なテーマを羅列する方法でもよいし、そのように羅列したテーマを五十音順に整列することも可能である。
【００２５】
さらに、本実施例における歌本の目次は、図２に示すように、例えば、「自然」、「生き物」、「場所」等のような大テーマ１に分けて、夫々に含まれる具体的なテーマ２を「太陽」、「月」、「星」、「空」…というように分類した上で、夫々のテーマ毎に分類した歌の題名５を時代順に掲載するようにしてもよい。このような図２に示す目次によって、具体的なテーマ２毎の歌の題名５を一覧することが可能となる。
【００２６】
また、不図示であるが、各テーマを時代毎に区分する記載とすることによって、各テーマにおける時代毎の歌の題名を一覧することが可能となる。
【００２７】
本発明による歌本の歌詞を掲載した任意の頁は、上記の目次に従って構成し、例えば、図３又は図４に示すように、任意頁の所定箇所に大テーマ１と具体的なテーマ２を記載すると共に（具体的なテーマ２のみを記載するのでもよい）、そのテーマ別に分類された歌を、題名５と歌詞６、作詞者と作曲者と歌手、さらにはその歌が歌われた時代を年号と年数７と共に記載するようにしてもよい。
【００２８】
なお、歌をテーマ別に分類する際、歌の題名だけでは分類できないものもあるため、歌詞の内容によってテーマ別に分類するのが好ましい。
【００２９】
なお、上記の本発明の歌本において、図３又は図４に示すように、テーマ別に分類された歌を年号と年数で示すと共に、古いもの順に配列する方法のほかに、テーマ別に分類した上で、例えば明治、大正、昭和、平成等のような年号毎に掲載する方法もある。
【００３０】
また、本発明の歌本においては、索引の頁として、上記のようにテーマ別に掲載したすべての歌の題名を五十音順に配列して夫々の該当頁数を記載した頁を設ける等、周知の歌本に見られる工夫を施すようにしてもよい。
【００３１】
【発明の効果】
以上説明した本発明のテーマ編歌本は、次のような特徴及び利点を有するものである。
【００３２】
１.従来から歌唱、童謡、軍歌、歌謡曲、演歌、フォーク、ポップス、ロック等に分かれる歌のジャンルを日本の歌として統一し、夫々の歌詞の内容をテーマ別に分類することにより、歌に表現された日本人の生活、習慣、風俗、歴史、感情、思想等を体系化した歌本を得ることができる。
【００３３】
２.上記のように各テーマに分類した歌は、その歌が歌われた時代を反映するものであり、歌に表現された時代毎の人間の世相や文化等を読み取ることができ、これを後世に伝えることによって、他の文芸等では得られない貴重な資料を提供することができる。
【００３４】
３.歌をテーマ別に分類したことにより、歌ったり聴いたりする音楽の楽しみ方においてバリエーションを拡大することも可能であり、例えば、テーマ別に分類した歌によるカラオケの楽しみ方等、大衆カラオケの活性化と普及にも寄与し得るものである。
【００３５】
４.本発明による歌本は一般大衆のみならず、音楽の専門家にとって特殊な資料を提供することになり、作詞等の創作の参考にもし得るものである。
【図面の簡単な説明】
【図１】本発明によるテーマ編歌本の目次の実施例を示す図である。
【図２】本発明によるテーマ編歌本の目次の他の実施例を示す図である。
【図３】本発明によるテーマ編歌本の任意頁の実施例を示す図である。
【図４】本発明によるテーマ編歌本の他の任意頁の実施例を示す図である。
【符号の説明】
１…大テーマ
２…具体的なテーマ
３…曲数
４…頁数
５…題名
６…歌詞
７…年号と年数
【図１】
0004051540.tif 000002
【図２】
0004051540.tif 000003
【図３】
0004051540.tif 000004
【図４】
0004051540.tif 000005